(57)【要約】【課題】ディスク形記録媒体の外縁部などが振動することを防止して、該ディスク形記録媒体を確実に保持できる記録媒体保持トレイ及び記録媒体再生装置を提供する。【解決手段】ＣＤチェンジャはトレイ１９を備えている。トレイ１９はトレイ本体６０と第１〜第３の係止部材６１，６２，６３を備えている。トレイ本体６０はＣ字状に形成されている。第１の係止部材６１はトレイ本体６０の一端部６０ａに回転自在に設けられている。第１の係止部材６１の一端部６１ａにはＣＤ２に係止する係止爪６６が設けられている。第２の係止部材６２はトレイ本体６０の他端部６０ｂに回転自在に設けられている。第２の係止部材６２の一端部６２ａにはＣＤ２に係止する係止爪６７が設けられている。第３の係止部材６３はトレイ本体６０の中央部６０ｃに回転自在に設けられている。第３の係止部材６３の一端部６３ａにはＣＤ２に係止する係止爪６９が設けられている。【選択図】図３４
2005276327.tif 000002
【特許請求の範囲】
【請求項１】
平面形状が略Ｃ字状に形成されたトレイ本体と、
前記トレイ本体の所定位置に設けられかつ前記トレイ本体上に位置付けられるディスク形記録媒体の外縁部に係止する第１の係止部材と、
前記トレイ本体の前記所定位置と離れた離間位置に設けられかつ前記トレイ本体上に位置付けられるディスク形記録媒体の外縁部に係止する第２の係止部材と、を備え、
前記トレイ本体上に位置付けられたディスク形記録媒体の外縁部に第１及び第２の係止部材それぞれが係止して、前記ディスク形記録媒体を保持する記録媒体保持トレイにおいて、
前記トレイ本体の前記所定位置と前記離間位置との間に設けられ、かつ前記トレイ本体上に位置付けられるディスク形記録媒体の外縁部に係止する第３の係止部材と、を備えたことを特徴とする記録媒体保持トレイ。
【請求項２】
前記第３の係止部材は、前記トレイ本体の前記所定位置と前記離間位置との間の中央部に設けられていることを特徴とする請求項１記載の記録媒体保持トレイ。
【請求項３】
前記第１ないし第３の係止部材は、それぞれ、アーム状に形成されているとともに、一端部に前記トレイ本体との間にディスク形記録媒体の外縁部を位置付けて、該外縁部に係止する係止部を設けているとともに、
前記第１ないし第３の係止部材は、それぞれ、中央部を中心として前記トレイ本体に回転自在に支持されているとともに、前記係止部が前記トレイ本体上のディスク形記録媒体の外縁部に係止する方向に付勢されていることを特徴とする請求項１または請求項２記載の記録媒体保持トレイ。
【請求項４】
前記第３の係止部材と、前記第１の係止部材と第２の係止部材とのうち一方とは、同一の付勢手段により付勢されていることを特徴とする請求項３記載の記録媒体保持トレイ。
【請求項５】
請求項１ないし請求項４のうちいずれか一項に記載の記録媒体保持トレイを備えたことを特徴とする記録媒体再生装置。
【請求項６】
請求項３または請求項４に記載の記録媒体保持トレイを複数備えているとともに、
前記複数の記録媒体保持トレイが互いに近接する収容位置と、前記複数の記録媒体保持トレイのうち一つの記録媒体保持トレイを他の記録媒体保持トレイから離して前記一つの記録媒体保持トレイに保持されたディスク形記録媒体の情報を読み出す再生位置と、に亘って、前記複数の記録媒体保持トレイを移動するディスク移動機構と、を備え、
前記ディスク移動機構が、前記一つの記録媒体保持トレイに保持されたディスク形記録媒体の情報を読み出す際に、前記一つの記録媒体保持トレイの第１ないし第３の係止部材を、前記係止部が記録媒体保持トレイ上のディスク形記録媒体の外縁部への係止を解除する方向に回転させることを特徴とする記録媒体再生装置。
【発明の詳細な説明】
【技術分野】
【０００１】
本発明は、例えば、ＣＤなどのディスク形記録媒体を保持する記録媒体保持トレイ及び該記録媒体保持トレイを備えた記録媒体再生装置に関する。
【背景技術】
【０００２】
コンパクトディスク（以下、ＣＤと記す）などのディスク形記録媒体を収容し、この収容したディスク形記録媒体の情報を再生する記録媒体再生装置は、機器本体と、複数の記録媒体保持トレイと、光ピックアップを備えている。
【０００３】
機器本体は、箱状に形成されている。記録媒体保持トレイは、それぞれ、板状に形成され、かつディスク形記録媒体を保持する。光ピックアップは、記録媒体保持トレイに保持されたディスク形記録媒体の情報を再生する。
【０００４】
前述した構成の記録媒体再生装置は、勿論、小型化が求められている。このため、記録媒体保持トレイ１０１を、図１に示すように、平面形状を略Ｃ字状に形成し、この略Ｃ字状の両端部１０１ａ，１０１ｂに前記ディスク形記録媒体１０２の外縁部に係止する図示しない係止部材を設けることが提案されている。
【発明の開示】
【発明が解決しようとする課題】
【０００５】
しかしながら、前述した図１に示された記録媒体保持トレイ１０１では、平面形状をディスク形記録媒体の外形に沿った略Ｃ字状に形成し、両端部１０１ａ，１０１ｂのみに係止部材を設けているので、ディスク形記録媒体１０２を確実に保持できない虞がある。とくに、自動車などに取り付けられた際に、該自動車などの走行中などの振動により、ディスク形記録媒体１０２の外縁部の記録媒体保持トレイ１０１上に保持されない箇所Ｍが、矢印Ｎに沿って振動する虞がある。このように、図１に示す記録媒体保持トレイ１０１では、ディスク形記録媒体１０２を確実に保持できない虞がある。
【０００６】
したがって、本発明の目的は、例えば、ディスク形記録媒体の外縁部などが振動することを防止して、該ディスク形記録媒体を確実に保持できる記録媒体保持トレイ及び該記録媒体保持トレイを備えた記録媒体再生装置を提供することにある。
【課題を解決するための手段】
【０００７】
前記課題を解決し目的を達成するために、請求項１に記載の本発明の記録媒体保持トレイは、平面形状が略Ｃ字状に形成されたトレイ本体と、前記トレイ本体の所定位置に設けられかつ前記トレイ本体上に位置付けられるディスク形記録媒体の外縁部に係止する第１の係止部材と、前記トレイ本体の前記所定位置と離れた離間位置に設けられかつ前記トレイ本体上に位置付けられるディスク形記録媒体の外縁部に係止する第２の係止部材と、を備え、前記トレイ本体上に位置付けられたディスク形記録媒体の外縁部に第１及び第２の係止部材それぞれが係止して、前記ディスク形記録媒体を保持する記録媒体保持トレイにおいて、前記トレイ本体の前記所定位置と前記離間位置との間に設けられ、かつ前記トレイ本体上に位置付けられるディスク形記録媒体の外縁部に係止する第３の係止部材と、を備えたことを特徴としている。
【０００８】
請求項５に記載の本発明の記録媒体再生装置は、請求項１ないし請求項４のうちいずれか一項に記載の記録媒体保持トレイを備えたことを特徴としている。
【０００９】
請求項６に記載の本発明の記録媒体再生装置は、請求項３または請求項４に記載の記録媒体保持トレイを複数備えているとともに、前記複数の記録媒体保持トレイが互いに近接する収容位置と、前記複数の記録媒体保持トレイのうち一つの記録媒体保持トレイを他の記録媒体保持トレイから離して前記一つの記録媒体保持トレイに保持されたディスク形記録媒体の情報を読み出す再生位置と、に亘って、前記複数の記録媒体保持トレイを移動するディスク移動機構と、を備え、前記ディスク移動機構が、前記一つの記録媒体保持トレイに保持されたディスク形記録媒体の情報を読み出す際に、前記一つの記録媒体保持トレイの第１ないし第３の係止部材を、前記係止部が記録媒体保持トレイ上のディスク形記録媒体の外縁部への係止を解除する方向に回転させることを特徴としている。
【発明を実施するための最良の形態】
【００１０】
以下、本発明における記録媒体保持トレイ及び記録媒体再生装置の実施の形態について説明する。平面形状が略Ｃ字状のトレイ本体の所定位置に設けられた第１の係止部材と、離間位置に設けられた第２の係止部材とにくわえ、所定位置と離間位置との間に第３の係止部材を設けている。こうすることで、ディスク形記録媒体の外縁部の前述した所定位置と離間位置との間の箇所をトレイ本体上に保持して、ディスク形記録媒体の外縁部の記録媒体保持トレイ上に保持されない箇所が振動することを防止して、ディスク形記録媒体を確実に保持できるようにしたものである。
【００１１】
また、この発明では、第３の係止部材を前述した所定位置と離間位置との間の中央部に設けても良い。
【００１２】
さらに、第１ないし第３の係止部材を、それぞれ、アーム状に形成し、一端部に係止部を設け、この係止部がトレイ本体上のディスク形記録媒体の外縁部に係止する方向に付勢しても良い。
【００１３】
また、第３の係止部材と、第１の係止部材と第２の係止部材とのうち一方と、を付勢する付勢手段を共用しても良い。
【００１４】
また、この発明は、前述した記録媒体保持トレイを備えた記録媒体再生装置でも良い。
【００１５】
さらに、この発明は、前述した記録媒体保持トレイを複数備え、これら複数の記録媒体保持トレイを収容位置と再生位置とに亘って移動するディスク移動機構を備えた記録媒体再生装置でも良い。
【実施例】
【００１６】
以下、本発明の一実施例にかかる記録媒体保持トレイ及び記録媒体再生装置の一例としてのＣＤチェンジャ１を、図２ないし図４２に基づいて説明する。図２などに示すＣＤチェンジャ１は、自動車などの移動体に装備されて、ディスク形記録媒体としてのＣＤ２（図３などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１７】
ＣＤチェンジャ１は、図３に示すように、機器本体３（図２に示す）と、図示しない操作部と、ディスク搬送部４と、ディスク再生部５と、ディスク収容部６と、ディスク移動機構７とを備えている。なお、以下、図３中の矢印ＸをＣＤチェンジャ１の幅方向と記し、矢印ＹをＣＤチェンジャ１の奥行き方向と記し、矢印ＺをＣＤチェンジャ１の厚み方向と記す。
【００１８】
機器本体３は、合成樹脂からなる図２に示す外側ケース８と、板金などからなる図３などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。
【００１９】
固定シャーシ９は、外側ケース８内に収容されているとともに、該外側ケース８に固定されている。固定シャーシ９は、図４に示すように、板状の底板１１と、この底板１１の外縁から立設した周板１２とを備えている。底板１１は、外側ケース８の図２中下側に位置する壁上に重ねられている。
【００２０】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のトレイ１９を設定するために用いられる。操作部は、使用者に操作されることで、挿入口１０を通して機器本体３外に排出されるＣＤ２を保持したトレイ１９を設定するために用いられる。操作部は、使用者に操作されることで、複数のトレイ１９に保持されたＣＤ２のうち情報を読み出すＣＤ２を設定するために用いられる。
【００２１】
ディスク搬送部４は、機器本体３内に収容されており、図３に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に取り付けられている。
【００２２】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介して後述の第２の駆動源としてのモータ４１により、軸芯周りに回転される。ローラ１４の外周面にＣＤ２が接触し、ローラ１４がモータ４１により回転駆動されることで、ディスク搬送部４は、挿入口１０内にＣＤ２を通す。
【００２３】
ディスク再生部５は、機器本体３内に収容されており、図４に示すように、第２支持部材としての移動シャーシ１６と、揺動シャーシ１７と、図示しないピックアップ再生部と、を備えている。移動シャーシ１６は、板金などからなり、枠状に形成されている。移動シャーシ１６は、ディスク収容部６のトレイ１９が互いに重なる方向即ち複数のＣＤ２が互いに重なる方向Ｋ（図３などに矢印で示す）に沿って移動自在に、固定シャーシ９の周板１２などに支持されている。
【００２４】
揺動シャーシ１７は、板金などからなり、帯板状に形成されている。揺動シャーシ１７は、一端部を中心として回動自在に移動シャーシ１６に支持されている。揺動シャーシ１７は、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。
【００２５】
ピックアップ再生部は、揺動シャーシ１７に設けられている。ピックアップ再生部は、ターンテーブルと、ピックアップ部などを備えている。ターンテーブルは、回転テーブルと、スピンドルモータと、複数のクランプ爪とを備えている。回転テーブルは、揺動シャーシ１７の他端部に回転自在に支持されている。回転テーブルは、円板状に形成されており、表面上にＣＤ２が置かれる。
【００２６】
スピンドルモータは、揺動シャーシ１７の他端部と回転テーブルとの間に設けられている。スピンドルモータは、回転テーブルを回転する。クランプ爪は、回転テーブルの表面から突没自在に設けられている。クランプ爪は、回転テーブルの表面から突出すると、回転テーブル上のＣＤ２の中央孔内に突出して、回転テーブルとの間にＣＤ２を挟む。クランプ爪は、回転テーブルとの間に挟むことで、ＣＤ２をクランプする。
【００２７】
ピックアップ部は、ピックアップとしての光ピックアップと、ピックアップ移動部とを備えている。光ピックアップは、ターンテーブルに接離する方向に移動自在に揺動シャーシ１７に支持されている。光ピックアップは、ターンテーブルに支持されたＣＤ２から情報を読み出す。ピックアップ移動部は、光ピックアップをターンテーブルに接離させる。なお、接離とは、互いに近づいたり離れたりすることである。
【００２８】
ディスク再生部５は、揺動シャーシ１７の他端部がＣＤ２間に侵入して、ターンテーブルのクランプ爪がＣＤ２をクランプするとともに、ターンテーブルの回転テーブルがＣＤ２を回転する。ディスク再生部５は、ピックアップ部の光ピックアップが、ターンテーブルにより回転されたＣＤ２から情報を読み出す。
【００２９】
ディスク収容部６は、機器本体３内に収容されており、図４に示すように、支持部材及び第１の壁としての移動シャーシ１８と、複数の記録媒体保持トレイとしてのトレイ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した矢印Ｋに沿って移動自在に固定シャーシ９の周板１２などに支持されている。
【００３０】
トレイ１９は、底板１１と移動シャーシ１８との双方と平行な状態で、移動シャーシ１８に支持されている。複数のトレイ１９は、底板１１と移動シャーシ１８とが互いに重なる方向（前述した矢印Ｋ）に沿って、後述のトレイ本体６０が互いに重ねられている。
【００３１】
トレイ１９は、図３４などに示すように、トレイ本体６０と、第１の係止部材６１と、第２の係止部材６２と、第３の係止部材６３とを備えている。トレイ本体６０は、合成樹脂からなり、板状に形成されている。トレイ本体６０は、保持部６４と、フランジ部６５とを一体に備えている。
【００３２】
保持部６４は、平板状に形成されている。保持部６４の平面形状は、略Ｃ字状（半環状、半リング状ともいう）に形成されている。このため、トレイ本体６０の平面形状は、略Ｃ字状に形成されている。なお、本明細書では、Ｃ字状と略Ｃ字状とを併せて略Ｃ字状と記す。また、保持部６４は、表面上にＣＤ２を位置付ける。このため、トレイ本体６０は、表面上にＣＤ２を位置付ける。
【００３３】
フランジ部６５は、保持部６４の外周側の外縁から立設しているとともに、該保持部６４の外周方向に延びている。このため、保持部６４上に位置付けられたＣＤ２は、フランジ部６５の内縁と当接することで、保持部６４上に位置決めされる。トレイ本体６０は、保持部６４のＣ字状に形成された開口部が挿入口１０と相対する状態に配されている。
【００３４】
第１の係止部材６１は、合成樹脂からなり、帯板状でかつアーム状に形成されている。第１の係止部材６１は、トレイ本体６０の図３４中の左側に位置する所定位置としての一端部６０ａに位置するフランジ部６５にその長手方向の中央部６１ｃを中心として回転自在に支持されている。このため、第１の係止部材６１は、トレイ本体６０の一端部６０ａに回転自在に設けられている。
【００３５】
第１の係止部材６１は、図３４中手前側（トレイ本体６０の端側）に位置する一端部６１ａに係止部としての係止爪６６を設けている。第１の係止部材６１は、係止爪６６がフランジ部６５の内縁から保持部６４上に突出する図３４、図３５及び図３７に示す係止位置と、係止爪６６がフランジ部６５の内縁に没して保持部６４上から退避する図３６及び図３８に示す非係止位置とに亘って、回転自在である。
【００３６】
また、第１の係止部材６１は、トレイ本体６０に、係止位置と非係止位置とに亘る回転が許容されているとともに、前記係止位置と非係止位置を越えて回転することが規制されている。係止爪６６は、前述した係止位置で前記保持部６４即ちトレイ本体６０との間にＣＤ２の外縁部を位置付けて、該ＣＤ２の外縁部に係止する。このため、第１の係止部材６１は、トレイ本体６０の保持部６４上に位置付けられるＣＤ２の外縁部に係止する。
【００３７】
第２の係止部材６２は、合成樹脂からなり、帯板状でかつアーム状に形成されている。第２の係止部材６２は、トレイ本体６０の図３４中の右側に位置する所定位置から離れた離間位置としての他端部６０ｂに位置するフランジ部６５にその長手方向の中央部６２ｃを中心として回転自在に支持されている。このため、第２の係止部材６２は、トレイ本体６０の他端部６０ｂに回転自在に設けられている。
【００３８】
第２の係止部材６２は、図３４中手前側（トレイ本体６０の端側）に位置する一端部６２ａに係止部としての係止爪６７を設けている。第２の係止部材６２は、係止爪６７がフランジ部６５の内縁から保持部６４上に突出する図３４、図３５及び図４１に示す係止位置と、係止爪６７がフランジ部６５の内縁に没して保持部６４上から退避する図３６及び図４２に示す非係止位置とに亘って、回転自在である。
【００３９】
また、第２の係止部材６２は、トレイ本体６０に、係止位置と非係止位置とに亘る回転が許容されているとともに、前記係止位置と非係止位置を越えて回転することが規制されている。係止爪６７は、前述した係止位置で前記保持部６４即ちトレイ本体６０との間にＣＤ２の外縁部を位置付けて、該ＣＤ２の外縁部に係止する。このため、第２の係止部材６２は、トレイ本体６０の保持部６４上に位置付けられるＣＤ２の外縁部に係止する。
【００４０】
さらに、第２の係止部材６２は、トレイ本体６０のフランジ部６５に取り付けられた付勢手段としてのねじりコイルばね６８により、前記係止爪６７がフランジ部６５の内縁から保持部６４上に突出する方向即ち係止位置に向かって付勢されている。すなわち、第２の係止部材６２は、係止爪６７がトレイ本体６０上のＣＤ２の外縁部に係止する（保持部６４の内側に向かう）方向に付勢されている。
【００４１】
第３の係止部材６３は、合成樹脂からなり、帯板状でかつアーム状に形成されている。第３の係止部材６３は、トレイ本体６０の前述した一端部６０ａと他端部６０ｂとの間の中央部６０ｃに位置するフランジ部６５にその長手方向の中央部６３ｃを中心として回転自在に支持されている。このため、第３の係止部材６３は、トレイ本体６０の一端部６０ａと他端部６０ｂとの間に回転自在に設けられている。
【００４２】
第３の係止部材６３は、図３４中奥側（トレイ本体６０の中央側）に位置する一端部６３ａに係止部としての係止爪６９を設けている。第３の係止部材６３は、係止爪６９がフランジ部６５の内縁から保持部６４上に突出する図３４、図３５及び図３９に示す係止位置と、係止爪６９がフランジ部６５の内縁に没して保持部６４上から退避する図３６及び図４０に示す非係止位置とに亘って、回転自在である。
【００４３】
また、第３の係止部材６３は、トレイ本体６０に、係止位置と非係止位置とに亘る回転が許容されているとともに、前記係止位置と非係止位置を越えて回転することが規制されている。係止爪６９は、前述した係止位置で前記保持部６４即ちトレイ本体６０との間にＣＤ２の外縁部を位置付けて、該ＣＤ２の外縁部に係止する。このため、第３の係止部材６３は、トレイ本体６０の保持部６４上に位置付けられるＣＤ２の外縁部に係止する。
【００４４】
さらに、第３の係止部材６３の他端部６３ｂは、第１の係止部材６１の他端部６１ｂより保持部６４寄り即ちトレイ本体６０の内側に配されているとともに、前記第１の係止部材６１の他端部６１ｂに当接する。また、第３の係止部材６３は、トレイ本体６０のフランジ部６５に取り付けられた付勢手段としてのねじりコイルばね７０により、前記係止爪６９がフランジ部６５の内縁から保持部６４上に突出する方向即ち係止位置に向かって付勢されている。すなわち、第３の係止部材６３は、係止爪６９がトレイ本体６０上のＣＤ２の外縁部に係止する（保持部６４の内側に向かう）方向に付勢されている。
【００４５】
また、第３の係止部材６３の他端部６３ｂが第１の係止部材６１の他端部６１ｂよりトレイ本体６０の内側に位置しかつ第１の係止部材６１の他端部６１ｂに当接しているので、前述したねじりコイルばね７０は、第１の係止部材６１を前記係止爪６６がフランジ部６５の内縁から保持部６４上に突出する方向即ち係止位置に向かって付勢している。このため、第１の係止部材６１は、係止爪６６がトレイ本体６０上のＣＤ２の外縁部に係止する（保持部６４の内側に向かう）方向に付勢されている。
【００４６】
さらに、第１の係止部材６１と、第３の係止部材６３は、同一のねじりコイルばね７０により付勢されている。このため、第３の係止部材６３と、第１の係止部材６１と第２の係止部材６２とのうち一方とは、同一のねじりコイルばね７０により付勢されている。
【００４７】
さらに、前述した第１の係止部材の一端部６１ａと、第２の係止部材６２の他端部６２ｂには、連動突起７１が設けられている。
【００４８】
トレイ１９は、挿入口１０を通して機器本体３に挿入されたＣＤ２がトレイ本体６０の開口部を通して内側に侵入して保持部６４上に位置し、係止爪６６，６７，６９がＣＤ２の外縁部に係止することで、このＣＤ２を保持する。複数のトレイ１９は、各々が保持するＣＤ２の表面が互いに平行になるように、互いに重ねられて配されている。トレイ１９は、前記矢印Ｋに沿って移動自在に移動シャーシ１８などに支持されている。各々のトレイ１９のトレイ本体６０には、外方向に向かって突出した突起２９（図１１ないし図２５に示す）が設けられている。
【００４９】
ディスク移動機構７は、機器本体３内に収容されており、駆動源としてのモータ２０（図４に示す）と、離間溝拡縮機構２１（図６ないし図１０に示す）と、連動移動機構２２（図２６ないし図３３に示す）とを備えている。モータ２０は、図４に示すように、固定シャーシ９に固定されている。
【００５０】
離間溝拡縮機構２１は、図５に示すように、３つ設けられており、機器本体３の隅部に設けられている。離間溝拡縮機構２１は、図６ないし図１０に示すように、円柱状に形成されており、移動部材２３と、スライド部材２４とを備えている。移動部材２３は、部材本体２５と、第２スライド部材２６とを備えている。
【００５１】
部材本体２５は、円柱状に形成されており、固定シャーシ９の底板１１に軸芯周りに回転自在に支持されている。部材本体２５は、底板１１から立設している。部材本体２５の軸芯は、前述した矢印Ｋと平行に配されている。部材本体２５は、前述したモータ２０の駆動力により軸芯周りに回転される。部材本体２５がモータ２０の駆動力により軸芯周りに回転されることは、本明細書に記した部材本体２５がモータ２０の駆動力により移動されることを示している。
【００５２】
第２スライド部材２６は、円管状に形成されており、部材本体２５の外周に取り付けられてこの部材本体２５と同軸に配されている。第２スライド部材２６と部材本体２５とは、キーにより互いに取り付けられている。第２スライド部材２６は、前述した矢印Ｋに沿って移動自在に部材本体２５に取り付けられている。また、第２スライド部材２６は、前述した部材本体２５と一体に（連動して）前述した軸芯周りに回転する。
【００５３】
また、前述した移動部材２３には、図１１ないし図２５に示すように、第１の壁としての移動シャーシ１８が取り付けられているとともに、第２の壁２７と、連結壁２８が設けられている。移動シャーシ１８と第２の壁２７は、移動部材２３の軸芯方向の両縁に設けられており、軸芯に沿って互いに間隔をあけて配されている。このため、移動シャーシ１８と第２の壁２７は、移動部材２３の両縁から外周方向に突出している。
【００５４】
移動シャーシ１８は、移動部材２３の第２スライド部材２６の固定シャーシ９の底板１１から離れた側の縁に取り付けられている。このことを、本発明では、第１の壁としての移動シャーシ１８が移動部材２３に設けられているという。このため、第２スライド部材２６は、移動シャーシ１８と一体に（連動して）矢印Ｋに沿って移動する。移動シャーシ１８は、前述した矢印Ｋに対し直交する方向に沿った平板状に形成されている。
【００５５】
第２の壁２７は、部材本体２５と第２スライド部材２６とに亘って設けられており、移動部材２３の固定シャーシ９の底板１１寄りの縁に設けられている。第２の壁２７は、移動部材２３の縁から外周方向に突出している。このため、第２の壁２７は、円環状に形成されている。第２の壁２７は、第２スライド部材２６から部材本体２５に向かうにしたがって、移動シャーシ１８から徐々に離れる方向に、前述した矢印Ｋとこの矢印Ｋに対し直交する方向との双方に交差した方向に延びている。
【００５６】
また、前述した移動シャーシ１８と第２の壁２７との間において、矢印Ｋに沿って互いの間にスライド部材２４の後述のくさび部３０が位置付けられていない部分では、前述した移動シャーシ１８と第２の壁２７との間隔は、トレイ１９の数と突起２９の矢印Ｋ方向の幅との積に等しい又は略等しい。連結壁２８は、第２スライド部材２６に設けられ、前述した矢印Ｋに沿って直線状に延びているとともに、前記移動シャーシ１８と第２の壁２７とを互いに連結している。
【００５７】
移動部材２３は、前述した移動シャーシ１８と第２の壁２７との間に、突起２９を位置付けて、前述したトレイ１９を保持する。また、移動部材２３は、軸芯周りに回転することで、前述した移動シャーシ１８と第２の壁２７との間で突起２９が前述した連結壁２８から接離するように矢印Ｋに対し交差する方向に沿って移動することを許容する。このため、移動部材２３は、モータ２０の駆動力により、後述の離間溝３９，４０の奥に向かって突起２９が侵入する方向に移動される。さらに、移動部材２３は、後述の収容位置で、すべてのトレイ１９の突起２９を、移動シャーシ１８と第２の壁２７との間に位置付ける。
【００５８】
スライド部材２４は、円管状に形成されており、部材本体２５の外周に取り付けられてこの部材本体２５等と同軸に配されている。スライド部材２４と部材本体２５とは、キーにより互いに取り付けられている。スライド部材２４は、前述した矢印Ｋに沿って移動自在に部材本体２５に取り付けられている。また、スライド部材２４は、前述した部材本体２５と一体（連動して）に前述した軸芯周りに回転する。さらに、スライド部材２４は、ディスク再生部５の移動シャーシ１６に取り付けられており、この移動シャーシ１６即ち前述した光ピックアップと一体に（連動して）矢印Ｋに沿って移動する。
【００５９】
さらに、スライド部材２４は、くさび部３０と、案内溝３１とを備えている。くさび部３０は、前述した移動シャーシ１８と、第２の壁２７との間に位置しているとともに、連結壁２８と間隔をあけて配されている。このため、スライド部材２４のくさび部３０は、前述した移動シャーシ１８と第２の壁２７との間を矢印Ｋに沿って移動する。くさび部３０は、第２スライド部材２６に向かうにしたがって、矢印Ｋに沿う幅が徐々に細くなるように形成されている。
【００６０】
案内溝３１は、くさび部３０に設けられている。案内溝３１は、スライド部材２４のくさび部３０の外周面に形成されている。即ち、案内溝３１は、スライド部材２４のくさび部３０の外周面から凹に形成されている。案内溝３１の矢印Ｋに沿う幅は、一つの突起２９の矢印Ｋに沿う幅と略等しい。案内溝３１は、図１１ないし図２５に示すように、連結壁２８に相対する開口部３２と、ローディング部３３と、ピックアップ侵入部３４と、第１連結部３５と、クランプ部３６と、第２連結部３７と、再生部３８とを備えている。ローディング部３３と、ピックアップ侵入部３４と、クランプ部３６と、再生部３８とは、矢印Ｋに対し直交する方向に沿って延びている。第１連結部３５と、第２連結部３７とは、矢印Ｋとこの矢印Ｋに対し直交する方向との双方に対し交差する方向に沿って延びている。
【００６１】
ローディング部３３は、開口部３２に連なり、この開口部３２の連結壁２８から離れた側に配されている。ピックアップ侵入部３４は、ローディング部３３に連なり、このローディング部３３の連結壁２８から離れた側に配されている。さらに、ピックアップ侵入部３４は、ローディング部３３より部材本体２５の第２の壁２７から離れた側に配されている。
【００６２】
第１連結部３５は、ピックアップ侵入部３４に連なり、このピックアップ侵入部３４の連結壁２８から離れた側に配されている。第１連結部３５は、ピックアップ侵入部３４から離れるのにしたがって徐々に部材本体２５の第２の壁２７に近づく方向に延びている。クランプ部３６は、第１連結部３５に連なり、この第１連結部３５の連結壁２８から離れた側に配されている。第２連結部３７は、クランプ部３６に連なり、このクランプ部３６の連結壁２８から離れた側に配されている。第２連結部３７は、クランプ部３６から離れるのにしたがって徐々に部材本体２５の第２の壁２７に近づく方向に延びている。再生部３８は、第２連結部３７に連なり、この第２連結部３７の連結壁２８から離れた側に配されている。
【００６３】
案内溝３１は、開口部３２を通して、突起２９が侵入することを許容する。さらに、案内溝３１は、ローディング部３３と、ピックアップ侵入部３４と、第１連結部３５と、クランプ部３６と、第２連結部３７と、再生部３８内に順に突起２９が移動することを許容する。
【００６４】
ローディング部３３内に位置付けられた突起２９を設けたトレイ１９は、挿入口１０と矢印Ｙに沿って相対する。そして、ローディング部３３内に位置付けられた突起２９を設けたトレイ１９は、挿入口１０を通して挿入されたＣＤ２を保持できるとともに、挿入口１０を通して保持したＣＤ２を機器本体３外に排出できる。
【００６５】
ピックアップ侵入部３４内に位置付けられた突起２９を設けたトレイ１９は、図３中下方に位置する他のトレイ１９から離れて、この図中下方に位置するトレイ１９との間に揺動シャーシ１７の他端部即ちピックアップ再生部が侵入することを許容する。クランプ部３６内に位置付けられた突起２９を設けたトレイ１９は、保持したＣＤ２をディスク再生部５のターンテーブルがクランプすることを許容する。再生部３８内に位置付けられた突起２９を設けたトレイ１９は、ターンテーブルにクランプされたＣＤ２から離されて、ターンテーブルにより回転されるＣＤ２に干渉（接触）しない。即ち、ＣＤ２が回転することを許容する。
【００６６】
さらに、トレイ１９の第１の係止部材６１と第２の係止部材６２のそれぞれの近傍に位置する離間溝拡縮機構２１のスライド部材２４には、連動突起７２（図５に示す）が設けられている。連動突起７２は、案内溝３１内の突起２９がクランプ部３６から再生部３８との間及び再生部３８に位置すると、第１及び第２の係止部材６１，６２の連動突起７１と当接する。そして、スライド部材２４に設けられた連動突起７２は、前記連動突起７１即ち第１及び第２の係止部材６１，６２を係止爪６６，６７，６９がフランジ部６５の内縁に没する方向即ち非係止位置に向かって押圧する。そして、連動突起７２は、第１ないし第３の係止部材６１，６２，６３を前述した非係止位置に位置付ける。
【００６７】
また、前述した移動シャーシ１８とスライド部材２４のくさび部３０との間は、本明細書に記した第１の離間溝３９をなしている。さらに、前述した第２の壁２７とスライド部材２４のくさび部３０との間は、本明細書に記した第２の離間溝４０をなしている。第１の離間溝３９と第２の離間溝４０は、トレイ１９の突起２９が侵入することを許容する。
【００６８】
第１の離間溝３９と第２の離間溝４０とは、スライド部材２４が、矢印Ｋに沿って移動することで、互いに連動して矢印Ｋに沿った幅が拡縮する（拡がったり狭くなる）。スライド部材２４が矢印Ｋに沿ってスライドした際に、第１の離間溝３９の幅が拡がると第２の離間溝４０の幅が狭くなり、第２の離間溝４０の幅が拡がると第１の離間溝３９の幅が狭くなる。また、第１の離間溝３９の幅と第２の離間溝４０の幅との和は、トレイ１９の数から１を引いて得られる数と一つの突起２９の矢印Ｋ方向の幅との積に等しい又は略等しい。
【００６９】
前述した構成によれば、移動シャーシ１８と第２の壁２７との間に位置付けられたすべてのトレイ１９の突起２９は、モータ２０により移動部材２３とスライド部材２４とが一体に（連動して）回転（移動）することで、一つの突起２９が案内溝３１内に侵入する。残りの突起２９のうち案内溝３１に侵入した突起２９より矢印Ｋ１（図６などに示す）側に位置するトレイ１９の突起２９が第１の離間溝３９内に侵入し、案内溝３１に侵入した突起２９より矢印Ｋ２（図６などに示す）側に位置するトレイ１９の突起２９が第２の離間溝４０内に侵入する。なお、矢印Ｋ１は、前述した矢印Ｋの一方側をなしているとともに、矢印Ｋ２は、前述した矢印Ｋの他方側をなしている。
【００７０】
すべてのトレイ１９の突起２９が、案内溝３１に侵入することなく連結壁２８に近づいて移動シャーシ１８と第２の壁２７との間に位置する状態は、本明細書では、トレイ１９が収容位置に位置するという。また、スライド部材２４のくさび部３０が連結壁２８と間隔をあけているため、収容位置では、第１の離間溝３９と第２の離間溝４０とは、一体になっている。さらに、収容位置では、複数のトレイ１９が互いに近接する。
【００７１】
突起２９が、案内溝３１の再生部３８内と、第１及び第２の離間溝３９，４０の奥に侵入する状態は、本明細書では、トレイ１９が再生位置に位置するという。再生位置では、スライド部材２４のくさび部３０により、前記案内溝３１内に突起２９が侵入したトレイ１９は、収容位置より他のトレイ１９から離れる。再生位置では、情報を再生するＣＤ２を保持したトレイ１９が他のトレイ１９から離れるとともに、情報を再生するＣＤ２を保持したトレイ１９と他のトレイ１９との間にピックアップが侵入可能になる。
【００７２】
突起２９が、第２スライド部材２６の第２の壁２７と移動シャーシ１８との間に位置し、案内溝３１のローディング部３３内と、第１及び第２の離間溝３９，４０に侵入した状態は、本明細書では、トレイ１９がローディング位置に位置するという。
【００７３】
また、前述した再生位置では、第１の離間溝３９内に情報を再生するＣＤ２を保持したトレイ１９の矢印Ｋ１側のトレイ１９の突起２９が侵入する。第１の離間溝３９は、前記矢印Ｋ１側のトレイ１９を、情報を再生するＣＤ２を保持したトレイ１９から離す。
【００７４】
さらに、再生位置とローディング位置では、第２の離間溝４０内に情報を再生するＣＤ２を保持したトレイ１９の矢印Ｋ２側のトレイ１９の突起２９が侵入する。第２の離間溝４０は、前記矢印Ｋ２側のトレイ１９を、情報を再生するＣＤ２を保持したトレイ１９から離す。
【００７５】
連動移動機構２２は、図２６などに示すように、第２の駆動源としてのモータ４１（図４に示す）と、駆動部材としての駆動シャーシ４２（図４に示す）と、第１突起４３と、第１孔４４と、第２突起４５と、第２孔４６とを備えている。なお、図４には、駆動シャーシ４２と後述の第２駆動シャーシ５３を２つずつ示しているが、実際には、駆動シャーシ４２と第２駆動シャーシ５３は一つずつ設けられている。
【００７６】
連動移動機構２２は、ディスク収容部６のトレイ１９を収容位置と再生位置とに亘って移動させる際には、第２スライド部材２６を、部材本体２５に対し矢印Ｋに沿って移動して、部材本体２５の第２の壁２７から最も遠ざけておく。そして、連動移動機構２２は、再生位置に位置付けるＣＤ２を保持したトレイ１９の突起２９が案内溝３１に侵入できる位置に、スライド部材２４を位置付ける。
【００７７】
連動移動機構２２は、ディスク収容部６のトレイ１９を再生位置とローディング位置とに亘って移動させる即ちＣＤ２を機器本体３内に出し入れする際には、スライド部材２４を、移動部材２３に対し矢印Ｋに沿って移動して、部材本体２５の第２の壁２７に最も近づけておく。そして、連動移動機構２２は、ローディング位置に位置付けられた即ち出し入れされたＣＤ２を保持するトレイ１９の突起２９が案内溝３１に侵入できる位置に、第２スライド部材２６を位置付ける。連動移動機構２２は、第２の駆動源としてのモータ４１の駆動力により、前述したように、スライド部材２４即ちディスク再生部５の移動シャーシ１６と、第２スライド部材２６即ちディスク収容部６の移動シャーシ１８とを連動して、矢印Ｋに沿って移動する。
【００７８】
モータ４１は、固定シャーシ９の底板１１などに取り付けられている。駆動シャーシ４２は、板金からなり、板状に形成されている。駆動シャーシ４２の平面形状は、矩形状に形成されている。駆動シャーシ４２は、機器本体３の固定シャーシ９の周板１２に、矢印Ｋに対し直交（交差）する方向に沿って移動自在に支持されている。駆動シャーシ４２は、第２の駆動源としてのモータ４１の駆動力により回転される歯車４８と噛み合ったラック４７を有した第２駆動シャーシ５３（図３及び図４に示す）が矢印Ｋに対し直交する方向に沿ってスライドすることで、矢印Ｋに対し直交する方向に沿ってスライドする。即ち、駆動シャーシ４２は、第２の駆動源としてのモータ４１の駆動力により、矢印Ｋに対し交差（直交）する方向に沿って固定シャーシ９の周板１２に対し移動される。
【００７９】
第１突起４３は、ディスク収容部６の移動シャーシ１８から駆動シャーシ４２に向かって突出している。第１孔４４は、駆動シャーシ４２に設けられている。勿論、第１孔４４は、駆動シャーシ４２を貫通している。第１孔４４には、第１突起４３が侵入する。
【００８０】
第１孔４４は、図２６ないし図３３に示すように、第１平行部４９と第１傾斜部５０とを備えている、第１平行部４９は、前述した矢印Ｋに対し直交する方向に沿って直線状に延びている。第１傾斜部５０は、第１平行部４９の端に連なりかつ前述した矢印Ｋと該矢印Ｋに対し直交する方向との双方に対し交差する方向に沿って直線状に延びている。第１傾斜部５０は、第１平行部４９から離れるにしたがって徐々に部材本体２５の第２の壁２７に近づく方向に傾斜している。
【００８１】
第２突起４５は、ディスク再生部５の移動シャーシ１６から駆動シャーシ４２に向かって突出している。第２孔４６は、駆動シャーシ４２に設けられている。勿論、第２孔４６は、駆動シャーシ４２を貫通している。第２孔４６には、第２突起４５が侵入する。
【００８２】
第２孔４６は、第２傾斜部５１と第２平行部５２とを備えている、第２傾斜部５１は、前述した矢印Ｋと該矢印Ｋに対し直交する方向との双方に対し交差する方向に沿って直線状に延びている。第２傾斜部５１は、第２平行部５２から離れるにしたがって、徐々に部材本体２５の第２の壁２７から離れる方向に傾斜している。第２傾斜部５１は、第１傾斜部５０と平行である。第２平行部５２は、第２傾斜部５１の端に連なりかつ前述した矢印Ｋに対し直交する方向に沿って直線状に延びている。
【００８３】
第１突起４３が第１傾斜部５０内に位置付けられると、第２突起４５が第２平行部５２内に位置付けられる。第１突起４３が第１平行部４９内に位置付けられると、第２突起４５が第２傾斜部５１内に位置付けられる。
【００８４】
前述した連動移動機構２２は、第２の駆動源としてのモータ４１の駆動力により、トレイ１９をローディング位置に位置付ける際即ちＣＤ２を機器本体３内に出し入れする際には、第２突起４５が第２平行部５２内を移動し、第１突起４３が第１傾斜部５０内を移動する位置に駆動シャーシ４２を位置付ける。前述した連動移動機構２２は、第２の駆動源としてのモータ４１の駆動力により、トレイ１９を再生位置と収容位置とに亘って移動する際には、第２突起４５が第２傾斜部５１内を移動し、第１突起４３が第１平行部４９内を移動する位置に駆動シャーシ４２を位置付ける。
【００８５】
なお、連動移動機構２２により、第２突起４５が第２平行部５２内に位置付けられると、スライド部材２４が最も部材本体２５の第２の壁２７に近づく。最も部材本体２５の第２の壁２７に近づいたスライド部材２４の案内溝３１のローディング部３３内に突起２９が位置付けられたトレイ１９は、前述した挿入口１０を通して出し入れされるＣＤ２を保持できる位置に位置付けられる。
【００８６】
前述した構成のＣＤチェンジャ１は、機器本体３内に収容した複数のＣＤ２のうち前述した操作部などにより任意に選択された一つのＣＤ２の情報を読み出す際には、図１１に示すように、駆動源としてのモータ２０の駆動力によりすべてのトレイ１９の突起２９を連結壁２８に接触させておく。さらに、ディスク再生部５の揺動シャーシ１７の他端部即ちターンテーブルとピックアップ再生部を、複数のＣＤ２間から退避させておく。また、第２の駆動源としてのモータ４１の駆動力により、図２６に示すように、第１突起４３が第１孔４４の第１平行部４９内に位置する位置に駆動シャーシ４２を位置付ける。
【００８７】
そして、図１１に示すように、第２スライド部材２６に取り付けられた移動シャーシ１８を部材本体２５の第２の壁２７から最も遠ざけておく。さらに、各トレイ１９の第１ないし第３の係止部材６１，６２，６３が、図３４、図３５、図３７、図３９及び図４１に示すように、ねじりコイルばね６８，７０の付勢力により前述した係止位置に保たれている。即ち、各トレイ１９の第１ないし第３の係止部材６１，６２，６３は、ＣＤ２の外縁部に係止している。
【００８８】
そして、第２の駆動源としてのモータ４１の駆動力により、図２７に示すように、第２突起４５が第２孔４６の第２傾斜部５１内を移動して、情報が読み出される任意に選択された一つのＣＤ２を保持したトレイ１９の突起２９が案内溝３１に矢印Ｋに対し直交する方向に沿って相対する位置に、駆動シャーシ４２を位置付ける。そして、図７及び図１２に示すように、スライド部材２４の案内溝３１を、矢印Ｋに対し直交する方向に沿って、情報が読み出される任意に選択された一つのＣＤ２を保持したトレイ１９の突起２９と相対させる。なお、図７及び図１２では、図中上から四つ目のトレイ１９の突起２９とスライド部材２４に設けられた案内溝３１とを相対させている。
【００８９】
そして、駆動源としてのモータ２０の駆動力により、移動部材２３即ち部材本体２５と第２スライド部材２６及びスライド部材２４を一体に回転させる。そして、すべてのトレイ１９の突起２９が、連結壁２８から徐々に離れる。すると、図１３に示すように、情報が読み出される任意に選択された一つのＣＤ２を保持したトレイ１９の突起２９が、案内溝３１の開口部３２に侵入する。さらに、他のＣＤ２を保持したトレイ１９の突起２９が、スライド部材２４のくさび部３０に接触するとともに、くさび部３０などにより、第１及び第２の離間溝３９，４０内を移動する。
【００９０】
さらに、駆動源としてのモータ２０の駆動力により、移動部材２３即ち部材本体２５と第２スライド部材２６及びスライド部材２４を一体に回転させると、図１４に示すように、情報が読み出される任意に選択された一つのＣＤ２を保持したトレイ１９の突起２９がローディング部３３内に位置する。
【００９１】
その後、図１５に示すように、前述した一つのＣＤ２を保持したトレイ１９の突起２９が案内溝３１のピックアップ侵入部３４内に位置する。このとき、揺動シャーシ１７が、一端部を中心として回転して、他端部即ちターンテーブルとピックアップ再生部が前述した一つのＣＤ２と他のＣＤ２との間に侵入する。
【００９２】
そして、前述した一つのＣＤ２を保持したトレイ１９の突起２９が、第１連結部３５内を通り、図１６に示すように、クランプ部３６内に位置する。このとき、ディスク再生部５のターンテーブルが前述した一つのＣＤ２をクランプする。そして、前述した一つのＣＤ２を保持したトレイ１９の突起２９が第２連結部３７内を通るとともに、スライド部材２４の連動突起７２が前述した一つのＣＤ２を保持したトレイ１９の第１及び第２の係止部材６１，６２の連動突起７１に当接する。そして、スライド部材２４が回転するにしたがって、連動突起７２が、第１ないし第３の係止部材６１，６２，６３をねじりコイルばね６８，７０の付勢力に抗して、前述した非係止位置に向かって回転させる。
【００９３】
そして、前述した一つのＣＤ２を保持したトレイ１９の第１ないし第３の係止部材６１，６２，６３が、図３６、図３８、図４０及び図４２に示すように、非係止位置に位置付けられる。即ち、前述した一つのＣＤ２を保持したトレイ１９の第１ないし第３の係止部材６１，６２，６３のＣＤ２の外縁部への係止が解除される。そして、前述した一つのＣＤ２を保持したトレイ１９の突起２９が、図８及び図１７に示すように、再生部３８内に位置するとともに、前述した一つのＣＤ２が、該ＣＤ２を保持していたトレイ１９から離される。
【００９４】
さらに、前述した一つのＣＤ２の矢印Ｋ１側に位置するＣＤ２を保持したトレイ１９の突起２９が、スライド部材２４のくさび部３０により第１の離間溝３９の奥即ち連結壁２８から離れた側に移動する。さらに、前述した一つのＣＤ２の矢印Ｋ２側に位置するＣＤ２を保持したトレイ１９の突起２９が、スライド部材２４のくさび部３０により第２の離間溝４０の奥即ち連結壁２８から離れた側に移動する。
【００９５】
そして、図８及び図１７に示すように、スライド部材２４のくさび部３０に設けられた案内溝３１により、前述した一つのＣＤ２を保持したトレイ１９が位置決めされる。さらに、スライド部材２４のくさび部３０と、移動シャーシ１８及び第２の壁２７とにより即ち第１及び第２の離間溝３９，４０により、前述した一つのＣＤ２を保持したトレイ１９を他のトレイ１９から離す。さらに、他のトレイ１９を、第１及び第２の離間溝３９，４０により、位置決めする。
【００９６】
さらに、前述した一つのＣＤ２を保持したトレイ１９の突起２９が再生部３８内に位置すると、該トレイ１９が、ディスク再生部５のターンテーブルによりクランプされたＣＤ２から遠ざけられる。そして、トレイ１９にＣＤ２の回転が妨げられることが防止される。ターンテーブルがクランプしたＣＤ２を回転するとともに、ピックアップ再生部の光ピックアップがＣＤ２の所望の位置から情報を読み出す。前述した一つのＣＤ２からの情報の読み出しを停止する際には、駆動源としてのモータ２０の駆動力により、移動部材２３即ち部材本体２５と第２スライド部材２６及びスライド部材２４を先ほどと逆向きに回転する。
【００９７】
前述したように、スライド部材２４を矢印Ｋに沿って移動して、第１の離間溝３９の幅と第２の離間溝４０の幅とを連動して拡縮することで、所望のＣＤ２を保持したトレイ１９を位置決めするとともに他のトレイ１９から離す。例えば、図１８に示すように、図中下から二番目のＣＤ２を保持したトレイ１９を再生位置に位置付ける際や、図１９に示すように、図中上から二番目のＣＤ２を保持したトレイ１９を再生位置に位置付ける際も同様である。なお、図１８及び図１９に示す状態では、図２８及び図２９に示すように、第１突起４３が第１平行部４９内に位置するとともに、第２突起４３が第２傾斜部５１内に位置する。
【００９８】
また、前述したように、ディスク移動機構７は、複数のトレイ１９を互いに近接する収容位置と、複数のトレイ１９のうち一つのトレイ１９を他のトレイ１９から離して該一つのトレイ１９に保持されたＣＤ２の情報を読み出す再生位置とに亘って、複数のトレイ１９を移動する。また、ディスク移動機構７は、一つのトレイ１９に保持されたＣＤ２の情報を読み出す際に、この一つのトレイ１９の第１ないし第３の係止部材６１，６２，６３を、非係止位置即ち係止爪６６，６７，６９のトレイ１９上のＣＤ２の外縁部への係止を解除する方向に回転させる。
【００９９】
また、前述した構成のＣＤチェンジャ１は、操作部などに命令により、機器本体３内に収容した複数のＣＤ２のうち任意に選択された一つのＣＤ２を機器本体３外に排出したり、ＣＤ２を機器本体３内に挿入して任意に選択された一つのトレイ１９に保持させる際には、図６、図９及び図２０に示すように、駆動源としてのモータ２０の駆動力によりすべてのトレイ１９の突起２９を連結壁２８に接触させておく。さらに、ディスク再生部５の揺動シャーシ１７の他端部即ちターンテーブルとピックアップ再生部を、複数のＣＤ２間から退避させておく。
【０１００】
また、図３０に示すように、第２の駆動源としてのモータ４１の駆動力により第２突起４５が第２孔４６の第２平行部５２内に位置する位置に駆動シャーシ４２を位置付ける。そして、図６、図９及び図２０に示すように、スライド部材２４を部材本体２５の第２の壁２７に最も近づけておく。さらに、各トレイ１９の第１ないし第３の係止部材６１，６２，６３が、図３４、図３５、図３７、図３９及び図４１に示すように、ねじりコイルばね６８，７０の付勢力により前述した係止位置に保たれている。
【０１０１】
そして、第２の駆動源としてのモータ４１の駆動力により、図３１に示すように、第１突起４３が第１孔４４の第１傾斜部５０内を移動して、機器本体３内に挿入されたＣＤ２を保持する又は保持したＣＤ２を機器本体３外に排出する一つのトレイ１９の突起２９が案内溝３１に矢印Ｋに対し直交する方向に沿って相対する位置に、駆動シャーシ４２を位置付ける。
【０１０２】
そして、図６、図９及び図２１に示すように、スライド部材２４の案内溝３１を、矢印Ｋに対し直交する方向に沿って、前述した一つのトレイ１９の突起２９と相対させる。なお、図６、図９及び図２１では、図中上から四つ目のトレイ１９の突起２９とスライド部材２４に設けられた案内溝３１とを相対させている。
【０１０３】
そして、駆動源としてのモータ２０の駆動力により、移動部材２３即ち部材本体２５と第２スライド部材２６及びスライド部材２４を一体に回転させる。そして、すべてのトレイ１９の突起２９が、連結壁２８から徐々に離れる。すると、図２２に示すように、前述した一つのトレイ１９の突起２９が、案内溝３１の開口部３２に侵入する。さらに、前述した他のトレイ１９の突起２９が、スライド部材２４のくさび部３０に接触するとともに、くさび部３０などにより、第１及び第２の離間溝３９，４０内を移動する。
【０１０４】
さらに、駆動源としてのモータ２０の駆動力により、移動部材２３即ち部材本体２５と第２スライド部材２６及びスライド部材２４を一体に回転させると、図１０及び図２３に示すように、前述した一つのトレイ１９の突起２９が、案内溝３１のローディング部３３内に位置する。さらに、前述した他のトレイ１９の突起２９が、スライド部材２４のくさび部３０により第１の離間溝３９及び第２の離間溝４０の奥即ち連結壁２８から離れた側に移動する。
【０１０５】
そして、図１０及び図２３に示すように、スライド部材２４のくさび部３０に設けられた案内溝３１により、前述した一つのトレイ１９がローディング位置に位置決めされる。さらに、スライド部材２４のくさび部３０と移動シャーシ１８及び第２の壁２７とにより即ち第１及び第２の離間溝３９，４０により、前述した一つのトレイ１９を他のトレイ１９から離す。さらに、第１及び第２の離間溝３９，４０により、他のトレイ１９を位置決めする。
【０１０６】
そして、第２の駆動源としてのモータ４１の駆動力によりローラ１４がＣＤ２を出し入れする方向に応じて回転する。ローラ１４が回転することで、挿入口１０を通して機器本体３内にＣＤ２の出し入れが行われる。前述したＣＤ２の出し入れを停止する際には、ローラ１４の回転を停止するとともに、駆動源としてのモータ２０の駆動力により、移動部材２３即ち部材本体２５と第２スライド部材２６及びスライド部材２４を先ほどと逆向きに回転する。
【０１０７】
前述したように、スライド部材２４を矢印Ｋに沿って移動することで、第１の離間溝３９の幅と第２の離間溝４０の幅とを連動して拡縮することで、所望のトレイ１９をローディング位置に位置決めするとともに他のトレイ１９から離す。例えば、図２４に示すように、図中上から二番目のトレイ１９をローディング位置に位置付ける際や、図２５に示すように、図中下から二番目のトレイ１９をローディング位置に位置付ける際も同様である。なお、図２４及び図２５に示す状態では、図３２及び図３３に示すように、第２突起４５が第２平行部５２内に位置するとともに、第１突起４３が、第１傾斜部５０内に位置する。
【０１０８】
本実施例によれば、平面形状がＣ字状のトレイ本体６０の一端部６０ａに設けられた第１の係止部材６１と、他端部６０ｂに設けられた第２の係止部材６２とにくわえ、一端部６０ａと他端部６０ｂとの間に第３の係止部材６３を設けている。さらに、第３の係止部材６３を前述した一端部６０ａと他端部６０ｂとの間の中央部６０ｃに設けている。このため、ＣＤ２の外縁部の前述した一端部６０ａと他端部６０ｂとの間の箇所をトレイ本体６０上に保持でき、ＣＤ２の外縁部のトレイ１９上に保持されない箇所が振動することを防止できる。したがって、ＣＤ２を確実に保持できる。
【０１０９】
また、第１ないし第３の係止部材６１，６２，６３を、それぞれ、アーム状に形成し、一端部６１ａ，６２ａ，６３ａに係止爪６６，６７，６９を設け、これらの係止爪６６，６７，６９がトレイ本体６０上のＣＤ２の外縁部に係止する方向に付勢されている。このため、各係止部材６１，６２，６３の係止爪６６，６７，６９がＣＤ２の外縁部を確実に係止でき、外縁部が振動することなくＣＤ２を確実に保持できる。
【０１１０】
さらに、第３の係止部材６３と、第１の係止部材６１を付勢するねじりコイルばね７０を共用している。このため、部品点数を削減でき、小型化を図ることができる。
【０１１１】
複数のトレイ１９を収容位置と再生位置とに亘って移動するディスク移動機構７が、情報を再生するＣＤ２を保持した一つのトレイ１９の係止部材６１，６２，６３の係止を解除する。このため、前述した一つのトレイ１９に保持されたＣＤ２の情報を確実に再生できる。
【０１１２】
また、ディスク移動機構７が係止部材６１，６２，６３の係止を解除しているので、係止部材６１，６２，６３の係止を解除するために、専用の機構を設ける必要がない。したがって、部品点数を削減でき、小型化を図ることができる。
【０１１３】
また、任意に選択されたＣＤ２を保持したトレイ１９の突起２９を案内溝３１内に侵入させる。選択されたトレイ１９の矢印Ｋ１側の他のトレイ１９の突起２９を第１の離間溝３９内に侵入させ、かつ矢印Ｋ２側の他のトレイ１９の突起２９を第２の離間溝４０内に侵入させる。こうして、突起２９を案内溝３１と第１の離間溝３９と第２の離間溝４０内に侵入させて、選択されたＣＤ２を他のＣＤ２から離して、選択されたＣＤ２から情報を読み出す。
【０１１４】
また、離間溝拡縮機構２１により、第１及び第２の離間溝３９，４０の幅が互いに連動して拡縮するとともに、第１の離間溝３９の幅と第２の離間溝４０の幅の和がトレイ１９の数から１を引いて得られた数と突起２９の幅との積に略等しい。このため、がたつくことなく、前述した選択されたＣＤ２を保持したトレイ１９と、他のトレイ１９を位置決めできる。
【０１１５】
このため、コイルばねを設けることなく、離間溝拡縮機構２１が第１及び第２の離間溝３９，４０の幅を連動して拡縮することで、選択された任意のＣＤ２を保持したトレイ１９を、他のトレイ１９から離すことができる。これにより、ＣＤチェンジャ１が自動車などに搭載されて、走行中などの振動が作用しても、トレイ１９が振動することを防止できる。したがって、確実に任意に選択されたＣＤ２を保持したトレイ１９を確実に再生位置に位置付けることができる。自動車などに搭載されて、走行中などの振動が作用しても、任意に選択されたＣＤ２の情報を確実に再生することができる。
【０１１６】
離間溝拡縮機構２１が、移動部材２３と、この移動部材２３に矢印Ｋに沿って移動自在に設けられたスライド部材２４とを備えている。移動部材２３に取り付けられた移動シャーシ１８とスライド部材２４のくさび部３０との間が第１の離間溝３９を形成し、移動部材２３の第２の壁２７とスライド部材２４のくさび部３０との間が第２の離間溝４０を形成し、スライド部材２４のくさび部３０に案内溝３１が形成されている。
【０１１７】
このため、スライド部材２４を矢印Ｋに沿ってスライドすることで、第１及び第２の離間溝３９，４０の幅を確実に連動して拡縮（増減）できる。さらに、任意に選択された情報が再生されるＣＤ２を保持したトレイ１９の位置に応じて、スライド部材２４がスライドする。したがって、確実に任意に選択されたＣＤ２を保持したトレイ１９を確実に再生位置に位置付けることができる。
【０１１８】
スライド部材２４と光ピックアップとが一体に（連動して）移動するので、スライド部材２４と光ピックアップとの相対的な位置が常に一定に保たれる。このため、スライド部材２４に設けられた案内溝３１により再生位置に位置決めされたトレイ１９に保持されたＣＤ２から光ピックアップで情報を確実に再生することができる。
【０１１９】
ＣＤ２から情報を読み出す際には、移動部材２３の第２スライド部材２６を矢印Ｋ１側に移動させて、選択された情報を再生するＣＤ２を保持したトレイ１９の位置に応じて、スライド部材２４をスライドさせる。このため、ＣＤ２から情報を読み出す際には、任意のＣＤ２を再生位置に位置付けることができる。したがって、任意のＣＤ２から情報を読み出して再生できる。
【０１２０】
また、ＣＤ２を出し入れする際には、スライド部材２４を矢印Ｋ２側に移動させて、このスライド部材２４の位置と出し入れするＣＤ２に対応したトレイ１９の位置に応じて、第２スライド部材２６をスライドさせる。このため、機器本体３に出し入れされるＣＤ２を保持する又は保持したトレイ１９と機器本体３との相対的な位置を一定に保つことができる。このため、ＣＤ２を挿入口１０内を通して確実に出し入れすることができるとともに、機器本体３内に挿入されたＣＤ２をトレイ１９に確実に保持できる。
【０１２１】
また、連動移動機構２２により、トレイ１９を収容位置と再生位置とに亘って移動することと、トレイ１９をローディング位置に位置決めすることを一連の動作で行うことができる。このため、部品点数の削減とコストの低減を図ることができる。さらに、トレイ１９を収容位置と再生位置とに亘って移動する状態とＣＤ２を出し入れする状態とをスムーズに切り換えることができる。
【０１２２】
連動移動機構２２が、第１孔４４と第２孔４６が設けられた駆動シャーシ４２と、ディスク収容部６の移動シャーシ１８に設けられた第１突起４３と、ディスク再生部５の移動シャーシ１６に設けられた第２突起４５とを備えている。第１孔４４は、第１傾斜部５０と第１平行部４９とからなり、第２孔４６は、第２傾斜部５１と第２平行部５２とからなる。
【０１２３】
ＣＤ２を出し入れする際には、第２突起４５が第２平行部５２内を移動し、第１突起４３が第１傾斜部５０内を移動する。これにより、ＣＤ２を出し入れする際には、ディスク再生部５の移動シャーシ１８即ちスライド部材２４が、スライドせずに、位置決めされる。さらに、ＣＤ２を出し入れする際には、ディスク収容部６の移動シャーシ１８と第２スライド部材２６即ちトレイ１９が、矢印Ｋに沿って移動する。
【０１２４】
このため、機器本体３に出し入れされるＣＤ２を保持する又は保持したトレイ１９と機器本体３との相対的な位置を一定に保つことができる。したがって、挿入口１０内を通して、ＣＤ２を確実に出し入れすることができるとともに、機器本体３内に挿入したＣＤ２をトレイ１９に確実に保持できる。
【０１２５】
トレイ１９を収容位置と再生位置とに亘って移動する際には、第１突起４３が第１平行部４９内を移動し、第２突起４５が第２傾斜部５１内を移動する。これにより、トレイ１９を収容位置と再生位置とに亘って移動する際には、ディスク収容部６の移動シャーシ１８と第２スライド部材２６即ちトレイ１９を、スライドせずに位置決めできる。さらに、トレイ１９を収容位置と再生位置とに亘って移動する際には、ディスク再生部５の移動シャーシ１６即ちスライド部材２４が、矢印Ｋに沿って移動する。
【０１２６】
このため、ＣＤ２から情報を読み出す際には、任意のＣＤ２を再生位置に確実に位置決めすることができる。したがって、任意のＣＤ２から情報を読み出して再生できる。
【０１２７】
移動部材２３が円柱状に形成され、スライド部材２４が円管状に形成されている。移動シャーシ１８と第２の壁２７は移動部材２３の両縁に設けられている。移動部材２３とスライド部材２４とは、同軸に配され、駆動源としてのモータ２０の駆動力により一体に回転する。このように、移動部材２３を回転することで、トレイ１９を収容位置と再生位置とに亘って移動できる。したがって、移動部材２３の移動軌跡を最小限にすることができ、機器本体３即ちＣＤチェンジャ１の小型化を図ることができる。
【０１２８】
前述した実施例では、ディスク形記録媒体としてのＣＤ２を複数収容するＣＤチェンジャ１を示している。しかしながら、本発明では、例えば、ディスク形記録媒体としてのＭＤ（Mini Disc）を複数収容するＭＤチェンジャや、例えば、ＤＶＤ（Digital Versatile Disc）などの他のディスク形記録媒体を複数収容する記録媒体再生装置に適用しても良い。さらに、本発明は、前述したＭＤやＤＶＤなどの記録媒体を１枚だけ収容して、収容した１枚の記録媒体の情報を読み出す記録媒体再生装置に適用しても良いことは勿論である。
【０１２９】
また、前述した実施例では、付勢手段としてねじりコイルばね６８，７０を用いている。しかしながら、本発明では、付勢手段として種々のばねやゴムなどの周知の弾性体を用いても良い。
【０１３０】
さらに、付勢手段としてのねじりコイルばね７０が第１の係止部材６１と第２の係止部材６２とのうち第１の係止部材６１と、第３の係止部材６３との双方を付勢している。しかしながら、本発明では、付勢手段が第１の係止部材６１と第２の係止部材６２とのうち第２の係止部材６２と、第３の係止部材６３との双方を付勢しても良い。また、本発明では、第１ないし第３の係止部材６１，６２，３６を回動自在にしている。しかしながら、本発明では、第１ないし第３の係止部材６１，６２，３６を、例えばスライドなどの回動以外の動きを自在に設けても良い。さらに、第３の係止部材６３は、第１の係止部材６１と第２の係止部材６２との間であれば、これらの間の中央部以外の箇所に設けても良い。
【０１３１】
また、前述した実施例では、移動部材２３を円柱状に形成し、スライド部材２４を円管状に形成し、軸芯周りに回転することで、これらを移動している。しかしながら、本発明では、移動部材２３とスライド部材２４などを例えば板状などの円管及び円管状以外の形状に形成し、例えば、スライドなどの軸芯周りの回転以外の方向にこれらを移動しても良い。
【０１３２】
さらに、前述した実施例では、スライド部材２４と光ピックアップとを一体に移動している。しかしながら、本発明では、スライド部材２４と光ピックアップとを必ずしも一体に移動しなくても良い。要するに、本発明では、スライド部材２４と光ピックアップとを連動させて移動することで、これらの相対的な位置間隔を一定に保つことができれば良い。
【０１３３】
また、前述した実施例では、連動移動機構２２により、スライド部材２４の移動と、第２スライド部材２６の移動とを、一つの駆動源により行えるようにしている。しかしながら、本発明では、スライド部材２４の移動と、第２スライド部材２６の移動とを、互いに独立した駆動源により行っても良い。さらに、一端部６０ａに第１の係止部材６１を設け、他端部６０ｂに第２の係止部材６２を設けている。しかしながら、本発明では、端部６０ａ，６０ｂに限らず、トレイ本体６０の任意の位置に第１の係止部材６１と第２の係止部材６２を設けても良い。
【０１３４】
前述した実施例によれば、以下のトレイ１９及びＣＤチェンジャ１が得られる。
【０１３５】
（付記１）  平面形状が略Ｃ字状に形成されたトレイ本体６０と、
前記トレイ本体６０の一端部６０ａに設けられかつ前記トレイ本体６０上に位置付けられるＣＤ２の外縁部に係止する第１の係止部材６１と、
前記トレイ本体６０の他端部６０ｂに設けられかつ前記トレイ本体６０上に位置付けられるＣＤ２の外縁部に係止する第２の係止部材６２と、を備え、
前記トレイ本体５０上に位置付けられたＣＤ２の外縁部に第１及び第２の係止部材６１，６２それぞれが係止して、前記ＣＤ２を保持するトレイ１９において、
前記トレイ本体６０の前記一端部６０ａと前記他端部６０ｂとの間に設けられ、かつ前記トレイ本体６０上に位置付けられるＣＤ２の外縁部に係止する第３の係止部材６３と、を備えたことを特徴とするトレイ１９。
【０１３６】
（付記２）  前記第３の係止部材６３は、前記トレイ本体６０の前記一端部６０ａと前記他端部６０ｂとの間の中央部に設けられていることを特徴とする付記１記載のトレイ１９。
【０１３７】
（付記３）  前記第１ないし第３の係止部材６１，６２，６３は、それぞれ、アーム状に形成されているとともに、一端部６１ａ，６２ａ，６３ａに前記トレイ本体６０との間にＣＤ２の外縁部を位置付けて、該外縁部に係止する係止爪６６，６７，６９を設けているとともに、
前記第１ないし第３の係止部材６１，６２，６３は、それぞれ、中央部６１ｃ，６２ｃ，６３ｃを中心として前記トレイ本体６０に回転自在に支持されているとともに、前記係止爪６６，６７，６９が前記トレイ本体６０上のＣＤ２の外縁部に係止する方向に付勢されていることを特徴とする付記１または付記２記載のトレイ１９。
【０１３８】
（付記４）  前記第３の係止部材６３と、前記第１の係止部材６１と第２の係止部材６２とのうち一方とは、同一のねじりコイルばね７０により付勢されていることを特徴とする付記３記載のトレイ１９。
【０１３９】
（付記５）  付記１ないし付記４のうちいずれか一項に記載のトレイ１９を備えたことを特徴とするＣＤチェンジャ１。
【０１４０】
（付記６）  付記３または付記４に記載のトレイ１９を複数備えているとともに、
前記複数のトレイ１９が互いに近接する収容位置と、前記複数のトレイ１９のうち一つのトレイ１９を他のトレイ１９から離して前記一つのトレイ１９に保持されたＣＤ２の情報を読み出す再生位置と、に亘って、前記複数の保持トレイ１９を移動するディスク移動機構７と、を備え、
前記ディスク移動機構７が、前記一つのトレイ１９に保持されたＣＤ２の情報を読み出す際に、前記一つのトレイ１９の第１ないし第３の係止部材６１，６２，６３を、前記係止爪６６，６７，６９がトレイ１９上のＣＤ２の外縁部への係止を解除する方向に回転させることを特徴とするＣＤチェンジャ１。
【０１４１】
付記１に記載のトレイ１９によれば、平面形状が略Ｃ字状のトレイ本体６０の一端部６０ａに設けられた第１の係止部材６１と、他端部６０ｂに設けられた第２の係止部材６２とにくわえ、一端部６０ａと他端部６０ｂとの間に第３の係止部材６３を設けている。こうすることで、ＣＤ２の外縁部の前述した一端部６０ａと他端部６０ｂとの間の箇所が振動することなく、トレイ本体６０上に保持できる。したがって、ＣＤ２の外縁部のトレイ１９上に保持されない箇所が振動することを防止でき、ＣＤ２を確実に保持できる。
【０１４２】
付記２に記載のトレイ１９によれば、第３の係止部材６３を前述した一端部６０ａと他端部６０ｂとの間の中央部６０ｃに設けている。このため、ＣＤ２の外縁部の前述した一端部６０ａと他端部６０ｂとの間の中央部６０ｃをトレイ本体６０上に確実に保持でき、ＣＤ２の外縁部のトレイ１９上に保持されない箇所のうちトレイ１９から最も離れた箇所が振動することを防止でき、ＣＤ２を確実に保持できる。
【０１４３】
付記３に記載のトレイ１９によれば、第１ないし第３の係止部材６１，６２，６３を、それぞれ、アーム状に形成し、一端部６１ａ，６２ａ，６３ａに係止爪６６，６７，６９を設け、この係止爪６６，６７，６６がトレイ本体６０上のＣＤ２に係止する方向に付勢している。このため、各係止部材６１，６２，６３の係止爪６６，６７，６９がＣＤ２の外縁部を確実に係止でき、外縁部が振動することなくＣＤ２を確実に保持できる。
【０１４４】
付記４に記載のトレイ１９によれば、第３の係止部材６３と、第１の係止部材６１と第２の係止部材６２とのうち一方とを付勢するねじりコイルばね７０を共用している。このため部品点数を削減でき、小型化を図ることができる。
【０１４５】
付記５に記載のＣＤチェンジャ１によれば、前述したトレイ１９を備えている。このため、外縁部が振動することなく、ＣＤ２を収容できる。
【０１４６】
付記６に記載のＣＤチェンジャ１によれば、前述したトレイ１９を複数備え、これら複数のトレイ１９を収容位置と再生位置とに亘って移動するディスク移動機構７を備えている。ディスク移動機構７が、情報を再生する一つのトレイ１９の係止部材６１，６２，６３の係止を解除する。このため、前述した一つのトレイ１９に保持されたＣＤ２の情報を確実に再生できる。
【０１４７】
また、ディスク移動機構７が係止部材６１，６２，６３の係止を解除しているので、係止部材６１，６２，６３の係止を解除するために、専用の機構を設ける必要がない。したがって、部品点数を削減でき、小型化を図ることができる。
【０１４８】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【０１４９】
【図１】従来の記録媒体保持トレイを示す斜視図である。
【図２】本発明の一実施例にかかる記録媒体再生装置としてのＣＤチェンジャの外観を示す斜視図である。
【図３】図２に示されたＣＤチェンジャの互いに組み付けられた固定シャーシとディスク搬送部とディスク再生部とディスク収容部とディスク位置決め機構を示す斜視図である。
【図４】図３に示された固定シャーシとディスク再生部とディスク収容部との一部を分解して示す斜視図である。
【図５】図３に示されたディスク収容部のホルダと離間溝拡縮機構とを示す斜視図である。
【図６】図５に示された離間溝拡縮機構を拡大して示す斜視図である。
【図７】図６に示された離間溝拡縮機構の第２スライド部材が部材本体の第２の壁から最も離れて一つのホルダの突起と案内溝とが相対した状態を示す斜視図である。
【図８】図７に示された状態の離間溝拡縮機構の移動部材を回転して突起を案内溝の再生部に位置付けた状態を示す斜視図である。
【図９】図６に示された離間溝拡縮機構のスライド部材が部材本体の第２の壁に最も近づいて一つのホルダの突起と案内溝とが相対した状態を示す斜視図である。
【図１０】図９に示された状態の離間溝拡縮機構の移動部材を回転して突起を案内溝のローディング部に位置付けた状態を示す斜視図である。
【図１１】図６に示された離間溝拡縮機構の移動部材とスライド部材をこれらの周方向に展開して示す展開図である。
【図１２】図１１に示されたスライド部材の案内溝を一つのホルダの突起と相対させた状態を模式的に示す展開図である。
【図１３】図１２に示された状態から移動部材を回転して、案内溝内に突起を挿入し始めた状態を模式的に示す展開図である。
【図１４】図１３に示された状態から移動部材を更に回転して、案内溝のローディング部内に突起が位置した状態を模式的に示す展開図である。
【図１５】図１４に示された状態から移動部材を更に回転して、案内溝のピックアップ侵入部内に突起が位置した状態を模式的に示す展開図である。
【図１６】図１５に示された状態から移動部材を更に回転して、案内溝のクランプ部内に突起を位置付けた状態を模式的に示す展開図である。
【図１７】図１６に示された状態から移動部材を更に回転して、案内溝の再生部内に突起を位置付けた状態を模式的に示す展開図である。
【図１８】図１７に示された下から２つ目のホルダの突起を案内溝の再生部内に位置付けた状態を模式的に示す展開図である。
【図１９】図１７に示された上から２つ目のホルダの突起を案内溝の再生部内に位置付けた状態を模式的に示す展開図である。
【図２０】図１１に示されたスライド部材を部材本体の第２の壁に最も近づけた状態を模式的に示す展開図である。
【図２１】図２０に示されたスライド部材の案内溝に一つのホルダの突起を相対させた状態を模式的に示す展開図である。
【図２２】図２１に示された状態から移動部材を回転して、案内溝内に突起を挿入し始めた状態を模式的に示す展開図である。
【図２３】図２２に示された状態から移動部材を更に回転して、案内溝のローディング部内に突起を位置付けた状態を模式的に示す展開図である。
【図２４】図２３に示された上から２つ目の保持部材の突起を案内溝のローディング部内に位置付けた状態を模式的に示す展開図である。
【図２５】図２３に示された下から２つ目の保持部材の突起を案内溝のローディング部内に位置付けた状態を模式的に示す展開図である。
【図２６】図１１に示された状態の連動移動機構を示す平面図である。
【図２７】図１２に示された状態の連動移動機構を示す平面図である。
【図２８】図１８に示された状態の連動移動機構を示す平面図である。
【図２９】図１９に示された状態の連動移動機構を示す平面図である。
【図３０】図２０に示された状態の連動移動機構を示す平面図である。
【図３１】図２１に示された状態の連動移動機構を示す平面図である。
【図３２】図２４に示された状態の連動移動機構を示す平面図である。
【図３３】図２５に示された状態の連動移動機構を示す平面図である。
【図３４】図２に示されたＣＤチェンジャのトレイを示す斜視図である。
【図３５】図２に示されたＣＤチェンジャのディスク収容部のトレイとディスク移動機構などを示す平面図である。
【図３６】図３５に示されたトレイの第１ないし第３の係止部材が非係止位置に位置付けられた状態を示す平面図である。
【図３７】図３５中のＡ−Ａ線に沿う断面図である。
【図３８】図３６中のＢ−Ｂ線に沿う断面図である。
【図３９】図３５中のＣ−Ｃ線に沿う断面図である。
【図４０】図３６中のＤ−Ｄ線に沿う断面図である。
【図４１】図３５中のＥ−Ｅ線に沿う断面図である。
【図４２】図３６中のＦ−Ｆ線に沿う断面図である。
【符号の説明】
【０１５０】
１  ＣＤチェンジャ（記録媒体再生装置）
２  ＣＤ（ディスク形記録媒体）
７  ディスク移動機構
１９  トレイ（記録媒体保持トレイ）
６０  トレイ本体
６０ａ  一端部（所定位置）
６０ｂ  他端部（離間位置）
６０ｃ  中央部
６１  第１の係止部材
６１ａ  一端部
６１ｃ  中央部
６２  第２の係止部材
６２ａ  一端部
６２ｃ  中央部
６３  第３の係止部材
６３ａ  一端部
６３ｃ  中央部
６６  係止爪（係止部）
６７  係止爪（係止部）
６８  ねじりコイルばね（付勢手段）
６９  係止爪（係止部）
７０  ねじりコイルばね（付勢手段）
【図１】
2005276327.tif 000003
【図２】
2005276327.tif 000004
【図３】
2005276327.tif 000005
【図４】
2005276327.tif 000006
【図５】
2005276327.tif 000007
【図６】
2005276327.tif 000008
【図７】
2005276327.tif 000009
【図８】
2005276327.tif 000010
【図９】
2005276327.tif 000011
【図１０】
2005276327.tif 000012
【図１１】
2005276327.tif 000013
【図１２】
2005276327.tif 000014
【図１３】
2005276327.tif 000015
【図１４】
2005276327.tif 000016
【図１５】
2005276327.tif 000017
【図１６】
2005276327.tif 000018
【図１７】
2005276327.tif 000019
【図１８】
2005276327.tif 000020
【図１９】
2005276327.tif 000021
【図２０】
2005276327.tif 000022
【図２１】
2005276327.tif 000023
【図２２】
2005276327.tif 000024
【図２３】
2005276327.tif 000025
【図２４】
2005276327.tif 000026
【図２５】
2005276327.tif 000027
【図２６】
2005276327.tif 000028
【図２７】
2005276327.tif 000029
【図２８】
2005276327.tif 000030
【図２９】
2005276327.tif 000031
【図３０】
2005276327.tif 000032
【図３１】
2005276327.tif 000033
【図３２】
2005276327.tif 000034
【図３３】
2005276327.tif 000035
【図３４】
2005276327.tif 000036
【図３５】
2005276327.tif 000037
【図３６】
2005276327.tif 000038
【図３７】
2005276327.tif 000039
【図３８】
2005276327.tif 000040
【図３９】
2005276327.tif 000041
【図４０】
2005276327.tif 000042
【図４１】
2005276327.tif 000043
【図４２】
2005276327.tif 000044